(57)【要約】【課題】ゴルフのプレイヤが、ＩＣタグの情報を、通信端末に意図通りに読み取らせることができるゴルフ情報選択装置を提供する。【解決手段】打数カウンタ１は、円周上に配置され、打数情報をそれぞれ記憶し、利用者が通信端末８０，９０を近付けることにより、通信端末８０，９０との間で近距離無線通信により通信して、打数情報を通信端末８０，９０に送信する複数のＩＣタグ４０（４０−１〜４０−８）と、遮蔽部材６０とを備え、遮蔽部材６０は、複数のＩＣタグ４０のうち１つのＩＣタグ４０を遮蔽しない領域であり、通信端末８０，９０との間で通信可能な通信領域６１と、他のＩＣタグ４０を覆って遮蔽し、通信端末８０，９０との間で通信できない遮蔽領域６２とを有し、利用者の操作によって遮蔽部材６０を基部２０に対して回転することにより、通信領域６１が回転移動して１つのＩＣタグ４０が選択される。【選択図】図１
2014023857.tif 000002
【特許請求の範囲】
【請求項１】
ＩＣタグ設置部材と、
前記ＩＣタグ設置部材に円周上に配置され、ゴルフのプレイ履歴を記録するために必要なゴルフ情報をそれぞれ記憶し、利用者が通信端末をこのゴルフ情報選択装置に近付けることにより、通信端末との間で近距離無線通信により通信して、前記ゴルフ情報を通信端末に送信する複数のＩＣタグと、
前記ＩＣタグ設置部材に対して回転移動可能に設けられた遮蔽部材とを備え、
前記遮蔽部材は、
前記複数のＩＣタグのうち１つのＩＣタグを遮蔽しない領域であり、通信端末との間で通信可能な通信領域と、
前記１つのＩＣタグ以外の他のＩＣタグを覆って遮蔽し、通信端末との間で通信できない遮蔽領域とを有し、
利用者の操作によって前記遮蔽部材及び前記ＩＣタグ設置部材が相対的に回転移動して、前記通信領域が回転移動して前記１つのＩＣタグが選択されること、
を特徴とするゴルフ情報選択装置。
【請求項２】
請求項１に記載のゴルフ情報選択装置において、
前記複数のＩＣタグは、書き換え端末との近距離無線通信によって、前記ゴルフ情報を書き換え可能であること、
を特徴とするゴルフ情報選択装置。
【請求項３】
請求項２に記載のゴルフ情報選択装置において、
前記複数のＩＣタグは、前記遮蔽部材が設けられている表面側とは反対側の裏面側が遮蔽されておらず、前記書き換え端末を前記裏面側から近付けることにより、同時に書き換え可能であること、
を特徴とするゴルフ情報選択装置。
【請求項４】
請求項３に記載のゴルフ情報選択装置において、
前記複数のＩＣタグと、前記遮蔽部材とを備える本体と、
前記本体の一方を表側とし前記本体の裏面側を裏側として、前記本体を利用者の腕に装着するバンドとを備えること、
を特徴とするゴルフ情報選択装置。
【請求項５】
請求項１から請求項４までのいずれかに記載のゴルフ情報選択装置において、
前記複数のＩＣタグは、ＮＦＣ規格に基づいて通信すること、
を特徴とするゴルフ情報選択装置。
【発明の詳細な説明】
【技術分野】
【０００１】
本発明は、ゴルフに使用するゴルフ情報選択装置に関するものである。
【背景技術】
【０００２】
従来、クラブ等のゴルフ用品にＩＣタグを設けて、携帯端末で読み取って、スコア等の管理に利用する管理システムがあった（例えば特許文献１）。
しかし、従来のゴルフ用品は、プレイヤが意図しない場面で、携帯端末がＩＣタグを読み取ってしまい、正確なスコア管理ができない可能性があった。
【先行技術文献】
【特許文献】
【０００３】
【特許文献１】特開２００６−３３８３３６号公報
【発明の概要】
【発明が解決しようとする課題】
【０００４】
本発明の課題は、ゴルフのプレイヤが、ＩＣタグの情報を、通信端末に意図通りに読み取らせることができるゴルフ情報選択装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、ＩＣタグ設置部材（２０，２２０，４２０）と、前記ＩＣタグ設置部材に円周上に配置され、ゴルフのプレイ履歴を記録するために必要なゴルフ情報をそれぞれ記憶し、利用者が通信端末（８０，９０）をこのゴルフ情報選択装置に近付けることにより、通信端末との間で近距離無線通信により通信して、前記ゴルフ情報を通信端末に送信する複数のＩＣタグ（４０（４０−１〜４０−８），２４０（２４０−１〜２４０−８），３４０（３４０−１〜３４０−８），４４０（４４０−１〜４４０−８））と、前記ＩＣタグ設置部材に対して回転移動可能に設けられた遮蔽部材（６０）とを備え、前記遮蔽部材は、前記複数のＩＣタグのうち１つのＩＣタグを遮蔽しない領域であり、通信端末との間で通信可能な通信領域（６１）と、前記１つのＩＣタグ以外の他のＩＣタグを覆って遮蔽し、通信端末との間で通信できない遮蔽領域（６２）とを有し、利用者の操作によって前記遮蔽部材及び前記ＩＣタグ設置部材が相対的に回転移動して、前記通信領域が回転移動して前記１つのＩＣタグが選択されること、を特徴とするゴルフ情報選択装置である。
・第２の発明は、第１の発明のゴルフ情報選択装置において、前記複数のＩＣタグ（４０（４０−１〜４０−８），２４０（２４０−１〜２４０−８），３４０（３４０−１〜３４０−８），４４０（４４０−１〜４４０−８））は、書き換え端末（９０）との近距離無線通信によって、前記ゴルフ情報を書き換え可能であること、を特徴とするゴルフ情報選択装置である。
・第３の発明は、第２の発明のゴルフ情報選択装置において、前記複数のＩＣタグ（４０（４０−１〜４０−８），２４０（２４０−１〜２４０−８），３４０（３４０−１〜３４０−８），４４０（４４０−１〜４４０−８））は、前記遮蔽部材（６０）が設けられている表面側とは反対側の裏面側が遮蔽されておらず、前記書き換え端末（９０）を前記裏面側から近付けることにより、同時に書き換え可能であること、を特徴とするゴルフ情報選択装置である。
・第４の発明は、第３の発明のゴルフ情報選択装置において、前記複数のＩＣタグ（４０（４０−１〜４０−８），３４０（３４０−１〜３４０−８），４４０（４４０−１〜４４０−８））と、前記遮蔽部材（６０）とを備える本体（１０，３１０，４１０）と、前記本体の一方を表側とし前記本体の裏面側を裏側として、前記本体を利用者の腕に装着するバンド（７０）とを備えること、を特徴とするゴルフ情報選択装置である。
・第５の発明は、第１から第４までのいずれかの発明のゴルフ情報選択装置において、前記複数のＩＣタグ（４０（４０−１〜４０−８），２４０（２４０−１〜２４０−８），３４０（３４０−１〜３４０−８），４４０（４４０−１〜４４０−８））は、ＮＦＣ規格に基づいて通信すること、を特徴とするゴルフ情報選択装置である。
【発明の効果】
【０００７】
本発明によれば、ゴルフのプレイヤが、ＩＣタグの情報を、通信端末に意図通りに読み取らせるゴルフ情報選択装置を提供できる。
【図面の簡単な説明】
【０００８】
【図１】第１実施形態の打数カウンタ１を示す図である。
【図２】第１実施形態の打数カウンタ１及びゴルフ端末８０間の通信を説明する断面図である。
【図３】第２実施形態の打数カウンタ２０１を示す図である。
【図４】第２実施形態の回転盤２５０を図３（ａ）の状態から回転した状態を示す図である。
【図５】第３実施形態の打数カウンタ３０１を示す図である。
【図６】第４実施形態の打数カウンタ４０１を示す図である。
【発明を実施するための形態】
【０００９】
以下、図面等を参照して、本発明の実施形態について説明する。
（第１実施形態）
図１は、第１実施形態の打数カウンタ１を示す図である。
図１（ａ）は、打数カウンタ１を表面側Ｚ２から見た図である。
図１（ｂ）は、打数カウンタ１を右側Ｘ２から見た断面図（図１（ａ）のｂ−ｂ部断面図）である。
実施形態及び図面の各方向の説明は、便宜上、図１（ａ）の状態を基準として、左右方向Ｘ、上下方向Ｙ、厚み方向Ｚとし、また、厚み方向Ｚのうち、回転盤５０側（図１（ｂ）の左側）を表面側Ｚ２、基部２０側（図１（ｂ）の右側）を裏面側Ｚ１とする。
【００１０】
打数カウンタ１（ゴルフ情報選択装置）は、ゴルフをするときに、プレイヤ（利用者）が、スコア（プレイ履歴）を記録するために必要なゴルフ情報として、打数をカウントするために利用する装置である。
打数カウンタ１は、本体１０、バンド７０を備える。打数カウンタ１は、バンド７０によって、プレイヤの腕Ｐに、腕時計のように装着できるようになっている（図２（ａ）参照）。
【００１１】
本体１０は、打数カウンタ１の主要な構成部品等を備える部分である。
本体１０は、基部２０（ＩＣタグ設置部材）、打数ラベル３０（３０−１〜３０−８）、ＩＣタグ４０（４０−１〜４０−８）、回転盤５０、遮蔽部材６０を備える。
基部２０は、本体１０のベースとなる部材である。基部２０は、円盤状に形成されている。基部２０は、樹脂等の電磁波、電波を通しやすい材料により形成されている。基部２０の直径は、プレイヤが腕Ｐに装着してプレイできるように、３０〜５０ｍｍ程度である。
【００１２】
打数ラベル３０は、基部２０表面の外縁部に貼付されたラベルである。後述するように、打数ラベル３０は、ＩＣタグ４０を書き換えた時に、その打数が印字されたものに貼り換えできる。
図１の例では、打数ラベル３０は、プレイの打数に対応した以下８つを有する。
打数ラベル３０−１：「０」と印字され、パーをあらわす。
打数ラベル３０−２：「＋１」と印字され、ボギーをあらわす。
打数ラベル３０−３：「＋２」と印字され、ダブルボギーをあらわす。
打数ラベル３０−４：「＋３」と印字され、トリプルボギーをあらわす。
打数ラベル３０−５：「＋４」と印字され、カドラプルボギーをあらわす。
打数ラベル３０−６：「−３」と印字され、アルバトロスをあらわす。
打数ラベル３０−７：「−２」と印字され、イーグルをあらわす。
打数ラベル３０−８：「−１」と印字され、バーディーをあらわす。
【００１３】
表面側Ｚ２から見ると、打数ラベル３０は、基部２０と同心の円周上に、４５°間隔で配置される。打数ラベル３０−１は、上側Ｙ２の最上部に配置され、打数ラベル３０−２〜３０−８は、打数ラベル３０−１から右回りに配置される。
【００１４】
ＩＣタグ４０は、基部２０内部に内蔵されて、設置されている。ＩＣタグ４０は、通信端末（後述するゴルフ端末８０、書き換え端末９０等）との間で、近距離無線通信による非接触通信するＲＦＩＤタグである。これら間の通信距離は、例えば、数ｍｍ〜数十ｍｍ程度である。実施形態では、ＩＣタグ４０は、ＮＦＣ規格（ＩＳＯ／ＩＥＣ１８０９２（ＮＦＣ  ＩＰ−１）、ＩＳＯ／ＩＥＣ２１４８１（ＮＦＣ  ＩＰ−２））に基づき、１３．５６ＭＨｚの電磁波を利用する。
ＩＣタグ４０は、ＩＣチップ（図示せず）と、通信端末との間で通信するためのループコイル式のループアンテナ（図示せず）とを備える。
このＩＣチップは、制御部、記憶部を備えている。制御部は、ＩＣタグ４０を統括的に制御する制御回路等を備える制御装置である。記憶部は、制御部を制御する制御プログラム、打数情報等を記憶したメモリである。
【００１５】
ＩＣタグ４０−１〜４０−８は、表面側Ｚ２から見たときに、基部２０と同心の円周上に配置される。ＩＣタグ４０は、打数ラベル３０よりも内周側に配置される。
ＩＣタグ４０は、打数ラベル３０に対応して８つのＩＣタグ４０−１〜４０−８が設けられる。各ＩＣタグ４０−１〜４０−８は、各打数ラベル３０−１〜３０−８に対応した打数情報を記憶し、各打数ラベル３０−１〜３０−８に対応した位置の内周側に配置されている。例えば、ＩＣタグ４０−１には、打数ラベル３０−１に対応した「０」の打数情報を記憶し、打数ラベル３０−１に対応した上側Ｙ２の最上部の内周側に配置されている。
【００１６】
回転盤５０は、基部２０に対して回転可能に保持された円盤である（矢印θ参照）。表面側Ｚ２から見ると、回転盤５０は、基部２０と同心に配置される。回転盤５０は、樹脂等の電磁波、電波を通しやすい材料により形成されている。
回転盤５０は、軸部５１、指針５２を有する。
軸部５１は、回転盤５０の裏面の中心に、裏面側Ｚ１へ突出するように設けられている。軸部５１は、基部２０の穴部２１に挿入されている。これにより、回転盤５０は、基部２０の中心軸と同軸に回転し、基部２０及び回転盤５０は、相対的に回転移動可能に接続される。
指針５２は、打数ラベル３０を指し示す部分である。指針５２は、回転盤５０の外周面から外側に突出するように設けられている。指針５２は、回転盤５０と一体で回転する。このため、プレイヤは、回転盤５０を回転操作して、指針５２を回転し、所望の打数ラベル３０を選択できる。
【００１７】
回転盤５０は、例えば、ボタン等の操作に応じて、回転するようにしてもよい。この場合には、ボタン等に接続した歯車等を有し、ボタン等の操作に応じて回転盤５０を４５°ずつ回転するような機構を設ければよい。
【００１８】
遮蔽部材６０は、回転盤５０内に内蔵された板材である。遮蔽部材６０は、電磁波、電波を遮蔽する金属材により形成される。
表面側Ｚ２から見たときに、遮蔽部材６０は、円環状の一部を、通信領域６１（後述する）で切断した形状である。遮蔽部材６０は、基部２０、回転盤５０と同心である。
遮蔽部材６０の径方向の長さは、ＩＣタグ４０を覆う大きさである。厚み方向Ｚにおいて、ＩＣタグ４０及び遮蔽部材６０間の距離は、通信端末の表面側Ｚ２からの電磁波がＩＣタグ４０に届かないように遮蔽できる程度であり（矢印Ａ参照）、かつ、裏面側Ｚ１からの電磁波がＩＣタグ４０に届く程度である（矢印Ｂ参照）。
【００１９】
遮蔽部材６０は、通信領域６１、遮蔽領域６２を有する。
通信領域６１は、円環状の一部を切断した部分の領域である。この領域は、回転盤５０の指針５２よりも内周側の領域である。
表面側Ｚ２から見たときに、通信領域６１の円周方向の長さは、１つのＩＣタグ４０に重ならず、ＩＣタグ４０が露出する程度である。つまり、通信領域６１は、複数のＩＣタグ４０のうち１つのＩＣタグ４０を遮蔽しない領域である。このため、表面側Ｚ２から見たときに、通信領域６１内に配置されたＩＣタグ４０は、通信端末との間で表面側Ｚ２から通信できる（矢印Ｃ参照）。
このため、指針５２が１つの打数ラベル３０を指し示すと、その打数ラベル３０の内周側に位置しその打数ラベル３０に対応するＩＣタグ４０が選択されて、通信領域６１内に配置される。例えば、図１は、指針５２が打数ラベル３０−１を指し示し、その内周側に位置するＩＣタグ４０−１が通信領域６１内に配置された状態である。
【００２０】
遮蔽領域６２は、遮蔽部材６０の本体部分の領域である。表面側Ｚ２から見たときに、遮蔽領域６２は、通信領域６１に配置されたＩＣタグ４０以外の他のＩＣタグ４０に重なる大きさである。つまり、遮蔽領域６２は、通信領域６１に配置されたＩＣタグ４０以外の他のＩＣタグ４０を遮蔽する領域である。このため、遮蔽領域６２上に配置されたＩＣタグ４０は、通信端末との間で表面側Ｚ２から通信できない。例えば、図１は、ＩＣタグ４０−２〜４０−８が遮蔽領域６２内に配置された状態である。
【００２１】
バンド７０は、本体１０をプレイヤの腕Ｐ（図２（ａ）参照）に装着する部材である。バンド７０は、基部２０の上側Ｙ２及び下側Ｙ１に、設けられている。プレイヤは、本体１０の裏面側Ｚ１を腕側（裏側）にして、本体１０の表面側Ｚ２を表側に表出させて、バンド７０を腕に巻き付けて、打数カウンタ１を手首等に装着できる。
【００２２】
打数カウンタ１の処理、使用方法について説明する。
図２は、第１実施形態の打数カウンタ１及びゴルフ端末８０間の通信を説明する断面図である。
図２（ａ）は、プレイ時の通信を説明する断面図である。
図２（ｂ）は、ＩＣタグ４０を書き換える時の通信を説明する断面図である。
【００２３】
（プレイ時の処理、使用方法）
プレイ時には、ゴルフ端末８０を利用する。
図２（ａ）に示すように、ゴルフ端末８０は、プレイヤがプレイ時に携行する情報端末であり、例えば、各ホールの地図情報を表示したり、スコア管理をすることができる。ゴルフ端末８０は、ＮＦＣ規格で通信可能なループコイル式のループアンテナ８１と、この通信のために必要な記憶部８２、制御部８３とを備える。
プレイ時の打数カウンタ１の処理、使用方法は、以下の手順に従う。
（１）プレイヤは、プレイ直前等に打数カウンタ１を腕に装着し、プレイ中には、常時、装着した状態にする。
（２）プレイヤは、ボールがチップインしてホールのプレイが終了すると、回転盤５０を回転する。プレイヤは、そのホールの打数を指針５２が指し示すように、回転盤５０を回転する。プレイヤは、例えば、打数がパー（±０）であれば、図１に示す位置に回転盤５０を回転する。
これにより、そのホールの打数に対応したＩＣタグ４０が通信領域６１に配置される。
【００２４】
（３）プレイヤは、ゴルフ端末８０を表面側Ｚ２から打数カウンタ１に近付けてかざす。
ゴルフ端末８０のループアンテナ８１及び通信領域６１内のＩＣタグ４０が通信可能な距離まで近接すると、ゴルフ端末８０の制御部８３は、ＩＣタグ４０との間で通信処理を行う。制御部８３は、通信領域６１内のＩＣタグ４０から打数情報を読み出す。つまり、通信領域６１内のＩＣタグ４０は、打数情報を制御部８３に送信する。制御部８３は、ホール番号及びこの打数情報を対応付けて記憶部８２に記憶し、また、ホール番号及びスコア（打数情報）を表示部８４に表示する。
（４）プレイヤは、プレイが終了するまで、ホール毎に上記（２）、（３）を繰り返す。これにより、制御部８３は、各ホール番号及び各スコアを記憶部８２に記憶し、また、これらを表形式で表示部８４に表示する。
【００２５】
このように、プレイ時には、プレイヤが、ホールでのプレイ終了時に、打数カウンタ１の打数ラベル３０を選択して、ゴルフ端末８０を近付ければ、ゴルフ端末８０が、ホール番号及びスコアを記録する。これにより、プレイヤは、スコア管理を正確に行うことができる。また、プレイヤは、ボタン操作等の煩雑な操作が不要であり、操作が簡単である。
さらに、ＩＣタグ４０は、ゴルフ端末８０との間でＮＦＣ規格を用いた近距離無線通信により通信する。ＩＣタグ４０及びゴルフ端末８０が、数十ｍｍ程度以内に近接しないと、これら間での通信を行うことはない。それに加えて、プレイ時には、打数カウンタ１は、プレイヤの腕に装着されている。このため、基部２０の裏面側Ｚ１が露出しておらず、ゴルフ端末８０は、基部２０内部のＩＣタグ４０に対して、裏面側Ｚ１から近付くことはない。このため、プレイヤが意図せずに、ゴルフ端末８０がＩＣタグ４０を誤って読み取ってしまうことを抑制できる。これにより、プレイヤは、意図通りにＩＣタグ４０を読み取らせ、スコア管理をより正確に行うことができる。
また、打数カウンタ１は、アンダ、オーバ、パーの打数情報を送信するので、ゴルフ端末８０は、各ホールのパーの打数（規定打数）の情報を記憶していない場合でも、スコアを管理、表示できる。
【００２６】
（ＩＣタグ４０の書き換え時の処理、使用方法）
ＩＣタグ４０の書き換え時は、書き換え端末９０を利用する。
図２（ｂ）に示すように、書き換え端末９０は、情報端末であり、ＮＦＣ規格で通信可能なループコイル式のループアンテナ９１と、この通信のために必要な記憶部９２、制御部９３とを備える。
書き換え端末９０としては、パーソナルコンピュータ等にループアンテナ９１を接続したもの、ループアンテナ９１を内蔵する携帯情報端末等を利用でき、また、上記ゴルフ端末８０を兼用して利用してもよい。
【００２７】
ＩＣタグ４０の書き換えは、主に、プレイヤがプレイをしていないときに、打数カウンタ１を腕から取り外した状態で行う。
ＩＣタグ４０の書き換え時の処理、使用方法は、以下の手順に従う。
（１）プレイヤは、書き換え端末９０の操作ボタン９５等を操作して、ＩＣタグ４０の打数情報の設定を行う。
例えば、技量の低いプレイヤは、８つのＩＣタグ４０のうちオーバ（プラス）側の打数情報が多くなるように、８つの打数情報を配分できる。例えば、プレイヤは、図１に示す配分を、ＩＣタグ４０−１〜４０−８にそれぞれ打数「０〜＋７」を割り当てて配分するように、書き換えできる。
一方、技量の高いプレイヤは、８つのＩＣタグ４０にアンダ（マイナス）側の打数情報が多くなるように、打数情報を配分できる。
（２）プレイヤは、書き換え端末９０を裏面側Ｚ１から打数カウンタ１に近付けてかざす。
書き換え端末９０のループアンテナ９１及びＩＣタグ４０が通信可能な距離まで近接すると、書き換え端末９０の制御部９３は、全てのＩＣタグ４０−１〜４０−８との間で通信処理を行う。
ＩＣタグ４０の裏面側Ｚ１は、遮蔽部材６０に遮蔽されておらず、制御部９３は、ＩＣタグ４０の打数情報を同時に書き換え可能である（矢印Ｂ参照）。
この通信は、アンチコリジョン機能を利用する。このため、制御部９３は、ＩＣタグ４０を順次読み取り、ＩＣタグ４０−１〜４０−８を指定して順次書き換えを行う。つまり、「同時」は、「全く同期して」という意味ではなく、「同時期の通信処理」にという程度の意味である。
（３）プレイヤは、打数ラベル３０−１〜３０−８を、書き換えたＩＣタグ４０−１〜４０−８に対応したものに貼り替える。
【００２８】
このように、ＩＣタグ４０の書き換え時には、プレイヤは、書き換え端末９０を打数カウンタ１の裏面側Ｚ１から近付ければ、打数情報を一度に書き換え可能である。このため、プレイヤは自分の技量に応じた打数情報に、８つのＩＣタグ４０を配分できるし、また、その操作が簡単である。
それに加えて、プレイしていない時には、通常は、プレイヤは、打数カウンタ１を腕に装着していない。これにより、プレイヤは、基部２０内部のＩＣタグ４０に対して、書き換え端末９０を裏面側Ｚ１から近付けることができる。
【００２９】
以上説明したように、本実施形態の打数カウンタ１は、プレイヤが、ＩＣタグ４０の情報を、通信端末に意図通りに読み取らせることができる。また、打数カウンタ１は、プレイヤの技量等に応じて、打数情報を簡単に書き換えできる。
【００３０】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を付して、重複する説明を適宜省略する。
図３は、第２実施形態の打数カウンタ２０１を示す図である。
図３（ａ）は、打数カウンタ２０１を表面側Ｚ２から見た図である。
図３（ｂ）は、打数カウンタ２０１の右側面図である。
図３（ｃ）は、打数カウンタ２０１を右側Ｘ２から見た断面図（図３（ａ）のｃ−ｃ部断面図）である。
【００３１】
打数カウンタ２０１は、第１実施形態とは異なり、プレイヤの腕等に装着するものではなく、例えば、プレイ時にポケット等に入れて携行するものである。
打数カウンタ２０１は、ケース２２０、打数ラベル２３０（２３０−１〜２３０−８）、ＩＣタグ２４０（２４０−１〜２４０−８）、回転盤２５０、遮蔽部材６０を備える。
【００３２】
ケース２２０は、打数カウンタ２０１の筐体であり、打数カウンタ２０１の基部となる部材である。
ケース２２０は、窓部２２０ａ、操作孔２２０ｂを備える。
窓部２２０ａは、プレイヤが選択した打数ラベルを視認する開口孔である。窓部２２０ａは、ケース２２０表面のうち上側の範囲に設けられている。
操作孔２２０ｂは、回転盤２５０を操作する開口孔である。操作孔２２０ｂは、ケース２２０の左右の両側面にそれぞれ設けられている。
【００３３】
打数ラベル２３０は、回転盤２５０の上面に貼付されている。このため、打数ラベルは、回転盤２５０と一体で回転移動する。
ＩＣタグ２４０は、ケース２２０の底部（裏面側）に、内蔵されている。
ＩＣタグ２４０−１〜２４０−８の配置は、第１実施形態とは逆回りである。
つまり、図３（ａ）に示すように、最上部の打数ラベル２３０−１から打数ラベル２３０−２〜２３０−８が右回りで配置されているのに対して、最上部のＩＣタグ２４０−１からＩＣタグ２４０−２〜２４０−８が左回りで配置されている。この理由は、後述する。
【００３４】
回転盤２５０は、第１実施形態よりも一回り大きい円盤である。回転盤２５０の左側Ｘ１及び右側Ｘ２は、ケース２２０の操作孔２２０ｂから突出している。プレイヤは、この突出した部分を操作できるようになっている。前述したように、打数カウンタ２０１は、選択した打数を窓部２２０ａから視認するようになっている。このため、回転盤２５０は、指針を備えていない。
遮蔽部材６０は、第１実施形態と同様に、回転盤２５０内に内蔵されている。遮蔽部材６０の通信領域６１は、「０（パー）」の打数ラベル２３０−１の内周側の領域である。
【００３５】
図４は、第２実施形態の回転盤２５０を図３（ａ）の状態から回転した状態を示す図である。
図４は、プレイヤが回転盤２５０を左回りに９０°回転して、「＋２（ダブルボギー）」を選択した状態である。
この場合、通信領域６１は、回転盤２５０と一体で回転し、最上部から左回りに９０°回転した位置に移動する。このため、図３（ａ）の状態において、打数ラベル２３０−３に対応した打数情報「＋２」のＩＣタグ２４０−３は、最上部から左回りに９０°回転した位置に配置すればよいことになる。
このために、本実施形態では、打数ラベル２３０−１〜２３０−８が右回りで配置されているのに対して、ＩＣタグ２４０−１〜２４０−８は、左回りで配置されているわけである。
打数カウンタ２０１の処理、使用方法は、第１実施形態と同様である。
【００３６】
以上説明したように、本実施形態の打数カウンタ２０１は、ケース２２０で回転盤２５０を覆うような構成であるので、プレイヤが誤って回転盤２５０に触れて回転してしまう等の誤操作を抑制できる。
なお、本実施形態の打数カウンタ２０１は、第１実施形態の打数カウンタからバンドを取り外して実施してもよい。
また、第１実施形態の打数カウンタに対して、本実施形態のケース２２０で回転盤２５０を覆うような構成を適用してもよい。
【００３７】
（第３実施形態）
次に、本発明の第３実施形態について説明する。
図５は、第３実施形態の打数カウンタ３０１を示す図である。
打数カウンタ３０１は、打数ラベル３３０（３３０−１〜３３０−８）、ＩＣタグ３４０（３４０−１〜３４０−８）を第１実施形態から変更した。
【００３８】
打数カウンタ３０１の打数ラベル３３０−１〜３３０−８は、打数「０」〜「＋７」がそれぞれ印字されている。打数ラベル３３０−１が最上部に配置され、打数ラベル３３０−２〜３３０−８が打数ラベル３３０−１から右回りに配置される。
ＩＣタグ３４０−１〜３４０−８は、それぞれ打数ラベル３３０−１〜３３０−８よりも内周側に配置される。ＩＣタグ３４０−１が最上部に配置され、ＩＣタグ３４０−２〜３３０−８がＩＣタグ３４０−１から右回りに配置される。
ＩＣタグ３４０−１〜３４０−８は、それぞれ打数ラベル３３０−１〜３３０−８に対応した打数情報を記憶している。例えば、ＩＣタグ３４０−１は、打数情報「０打」、ＩＣタグ４０−８は、打数情報「７打」を記憶している。
【００３９】
上記構成により、打数カウンタ３０１は、指針５２で選択された打数ラベル３３０に対応したＩＣタグ３４０の打数情報を、ゴルフ端末（図２（ａ）のゴルフ端末８０参照）に送信するようになっている。例えば、「＋１」の打数ラベル３３０−２が選択された場合には、ＩＣタグ３４０−２が打数情報「１打」を、ゴルフ端末に送信する。
【００４０】
（プレイ時の処理、使用方法）
プレイヤは、各ホールで１打プレイする毎に、回転盤２５０を左回りに４５°ずつ回転して打数をカウントする。ボールがチップインしたら、プレイヤは、ゴルフ端末を打数カウンタ３０１に表面側Ｚ２からかざす。
プレイヤがこの操作を各ホールで繰り返すことにより、ゴルフ端末は、各ホール番号及び各スコアを記憶部に記憶し、また、これらを表示部に表示する。
なお、本実施形態では、ゴルフ端末が各ホールのパー打数（規定打数）の情報を記憶している構成が好適である。この場合には、ゴルフ端末が、プレイヤの打数情報と、各ホールのパー打数とに基づいて、スコア（アンダ、オーバ等）を算出できるからである。
また、ＩＣタグ３４０の打数情報は、第１実施形態と同様にして、書き換えることができる。
【００４１】
以上説明したように、本実施形態の打数カウンタ３０１は、プレイヤが１打毎に打数をカウントできるので、打数が多くなってしまう場合でも、カウントミスを抑制できる。
なお、本実施形態の打数カウンタ３０１の構成を、第２実施形態に適用してもよく、この場合にも、上記効果を奏する。
【００４２】
（第４実施形態）
次に、本発明の第４実施形態について説明する。
図６は、第４実施形態の打数カウンタ４０１を示す図である。
打数カウンタ４０１は、打数ラベル４３０（４３０−１〜４３０−８）、ＩＣタグ４４０（４４０−１〜４４０−８）、遮蔽部材６０等の配置については、第１実施形態と同様であるが、回転盤４２０、基部４５０の構成が第１実施形態とは異なる。
【００４３】
基部４５０は、上円盤４５３及び下円盤４５４間が軸部４５１で接続されて、形成されている。
上円盤４５３は、遮蔽部材６０が内蔵されている。下円盤４５４には、バンド７０が設けられている。
回転盤４２０は、中心に孔部４２１を有する円盤である。回転盤４２０は、孔部４２１が基部４５０の軸部４５１に挿通されて、上円盤４５３及び下円盤４５４間に配置されている。これにより、回転盤４２０及び基部４５０は、相対的に回転移動可能に接続される。
回転盤４２０は、打数ラベル４３０が貼付され、また、ＩＣタグ４４０が内蔵されている。
【００４４】
上記構成により、打数カウンタ４０１は、プレイヤが腕に装着した状態で、プレイヤが回転盤４２０を基部４５０に対して回転操作できるようになっている。
回転盤４２０が回転すると、回転盤４２０内のＩＣタグ４４０は、上円盤４５３内の遮蔽部材６０に対して回転移動する。このとき、上部に配置される打数ラベル４３０は、指針５２に指し示される。これにより、プレイヤは、選択している打数ラベル４３０を認識できる。
【００４５】
選択している打数ラベル４３０の内周に配置されたＩＣタグ４４０は、遮蔽部材６０の通信領域６１に配置され、ゴルフ端末等（図２等参照）の通信端末との間で、表面側Ｚ２から通信できる。一方、その他の打数ラベル４３０は、遮蔽領域６２に遮蔽され、表面側Ｚ２から通信できない。
例えば、図６は、指針５２が打数ラベル４３０−１を指し示し、その内周側に位置するＩＣタグ４４０−１が通信領域６１内に配置され、また、その他のＩＣタグ４４０−２〜４４０−８が遮蔽領域６２内に配置された状態である。
【００４６】
上記構成により、本実施形態の打数カウンタ４０１は、前述した実施形態と同様に、表面側Ｚ２ＩＣタグ４４０の情報を通信端末に意図通りに読み取らせることができるし、また、裏面側Ｚ１から打数情報を簡単に書き換えできる。
なお、本実施形態の打数カウンタ４０１を、第２又は第３実施形態に適用してもよく、この場合にも、上記効果を奏することができる。
【００４７】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４８】
（変形形態）
実施形態において、ＩＣタグが記憶するゴルフ情報は、打数である例を示したが、ゴルフ情報選択装置は、打数である例を示したが、これに限定されない。ゴルフ情報は、スコア等のプレイ履歴を作成するための情報であればいずれでもよい。ゴルフ情報は、例えば、ゴルフのクラブ種別（１番ウッド等）、気候（天候、風向、風速等）等でもよい。
例えば、ゴルフのクラブ種別の場合には、プレイヤが１打プレイする毎に、クラブ種別をゴルフ端末に読み取らせれば、ゴルフ端末がスコアを作成できる。これにより、この装置を、スコアを作成するときに、クラブ種別を読み取らせるゴルフ情報選択装置として利用できる。
また、ゴルフ情報は、打数及びクラブ種別の両方でもよい。この場合には、打数を記憶するＩＣタグ、クラブ種別を記憶するＩＣタグの両方を、この装置に設ければよい。この場合には、プレイヤは、打数を選択すれば、打数をゴルフ端末に読み取らせることができるし、クラブ種別を選択すれば、クラブ種別をゴルフ端末に読み取らせることができ、より簡単にスコア作成できる。
【符号の説明】
【００４９】
１，２０１，３０１，４０１  打数カウンタ
１０，３１０，４１０  本体
２０  基部
３０（３０−１〜３０−８），２３０（２３０−１〜２３０−８），３３０（３３０−１〜３３０−８）  打数ラベル
４０（４０−１〜４０−８），２４０（２４０−１〜２４０−８），３４０（３４０−１〜３４０−８），４４０（４４０−１〜４４０−８）  ＩＣタグ
５０，２５０  回転盤
６０  遮蔽部材
６１  通信領域
６２  遮蔽領域
７０  バンド
２２０  ケース
４２０  回転盤
４５０  基部
【図１】
2014023857.tif 000003
【図２】
2014023857.tif 000004
【図３】
2014023857.tif 000005
【図４】
2014023857.tif 000006
【図５】
2014023857.tif 000007
【図６】
2014023857.tif 000008